(57)【要約】【課題】地熱利用による屋内冷却の効率化を図る。【解決手段】建物１２には、該建物１２を伝って流れる雨水を回収する雨水排水系統としての立樋１６が設けられ、建物周囲の地盤には、雨水排水系統を通じて流れる雨水を下水系統に排出する地中雨水管路１７が設けられている。地中雨水管路１７は地中熱交換管として用いられ、管内部の空間と地盤との間で熱交換が行われる。地中雨水管路１７には、地中雨水管路１７で熱交換が行われた後の空気を居室１３に排出する連通配管２５が接続されている。また、地中雨水管路１７には、建物周囲の地盤に少なくとも一部が地中に埋まった状態で設けられ、その建物周囲の地面又は地面付近での水の気化により生じる冷気を取り込む冷気取込管３１が接続されている。【選択図】      図１
2012097459.tif 000002
【特許請求の範囲】
【請求項１】
建物の地盤に埋設され、管内部の空間と前記地盤との間で熱交換を行わせる地中熱交換管と、
前記地中熱交換管に接続され該地中熱交換管で前記熱交換が行われた後の空気を屋内空間に排出する空気排出管と、
建物周囲の地盤に少なくとも一部が地中に埋まった状態で設けられ、その建物周囲の地面又は地面付近での水の気化により生じる冷気を取り込む冷気取込管と、
を備え、
前記地中熱交換管には前記冷気取込管が接続されていることを特徴とする建物の通気システム。
【請求項２】
前記建物には、該建物を伝って流れる雨水を回収する雨水排水系統が設けられ、
建物周囲の地盤には、前記雨水排水系統を通じて流れる雨水を下水系統に排出する地中雨水管路が設けられており、
前記地中熱交換管として前記地中雨水管路が用いられている請求項１に記載の建物の通気システム。
【請求項３】
前記雨水排水系統は、建物の外壁に沿って上下方向に延び、下端部において前記地中雨水管路に接続されている立樋を有し、
前記立樋には、雨天での雨水流通時には開き、雨水非流通時には閉じる立樋開閉手段が設けられている請求項２に記載の建物の通気システム。
【請求項４】
前記建物には、太陽光の照射に伴う温度上昇により気流を発生させ、屋外への排気を行わせる排気通路部が設けられ、
前記屋内空間には前記排気通路部が連通されており、
前記屋内空間への冷気の取り込み時には、前記排気通路部を通じて前記屋内空間の排気が行われる請求項１乃至３のいずれか１項に記載の建物の通気システム。
【請求項５】
前記屋内空間と前記建物の雨水排水系統を構成する立樋とが連通され、
前記排気通路部として前記立樋が用いられている請求項４に記載の建物の通気システム。
【請求項６】
前記冷気取込管を開閉させる取込管開閉手段と、
前記屋内空間の温度を検出する温度検出手段と、
前記温度検出手段による検出温度に基づいて、前記取込管開閉手段の開閉を制御する制御手段と、
を備える請求項１乃至５のいずれか１項に記載の建物の通気システム。
【発明の詳細な説明】
【技術分野】
【０００１】
本発明は、建物の通気システムに関するものである。
【背景技術】
【０００２】
従来から、年間を通じて温度が安定している地熱を利用して建物内を空調することが提案されている（例えば、特許文献１参照）。具体的には、建物の土間コンクリートの下の地中に熱交換用のチューブを埋設し、そのチューブの一端を屋内空間に連通させる構成としている。そして、例えば夏場において地熱との熱交換により冷やされたチューブ内の空気を屋内空間に吹き出させることにより、屋内空間の冷却が図られている。
【先行技術文献】
【特許文献】
【０００３】
【特許文献１】特開２００３−３５４５６号公報
【発明の概要】
【発明が解決しようとする課題】
【０００４】
しかしながら、近年では環境保全の要求が益々高まっており、建物関連技術においても省エネルギ化を実現するための新規技術が望まれている。ここで、地熱利用による屋内冷却の効率化を実現できれば、その分、電気エネルギ等を使用した空調装置の運転量を減らすことが可能となると考えられ、その観点からすれば、地熱利用のシステムにおいて技術改善の余地があると考えられる。
【０００５】
本発明は、地熱利用による屋内冷却の効率化を図ることができる建物の通気システムを提供することを主たる目的とするものである。
【課題を解決するための手段】
【０００６】
以下、上記課題を解決するのに有効な手段等につき、必要に応じて作用、効果等を示しつつ説明する。
【０００７】
第１の発明は、建物の地盤に埋設され、管内部の空間と前記地盤との間で熱交換を行わせる地中熱交換管と、前記地中熱交換管に接続され該地中熱交換管で前記熱交換が行われた後の空気を屋内空間に排出する空気排出管と、建物周囲の地盤に少なくとも一部が地中に埋まった状態で設けられ、その建物周囲の地面又は地面付近での水の気化により生じる冷気を取り込む冷気取込管と、を備え、前記地中熱交換管には前記冷気取込管が接続されていることを特徴とする。
【０００８】
夏場などの高温環境下において、地中熱交換管ではその内部空間の空気が地盤との熱交換により冷やされ、その際生じた冷気が空気排出管を通じて屋内空間に排出される。これにより、屋内空間の冷却が可能となる。また特に、地中熱交換管には、冷気取込管を通じて、水の気化により生じた冷気が取り込まれる。この場合、地中熱交換管では、冷気を含む空気を対象に更に地熱冷却が行われるため、屋内空間に吹き出す空気の一層の冷却が可能となる。その結果、地熱利用による屋内冷却の効率化を図ることができる。
【０００９】
第２の発明では、前記建物には、該建物を伝って流れる雨水を回収する雨水排水系統が設けられ、建物周囲の地盤には、前記雨水排水系統を通じて流れる雨水を下水系統に排出する地中雨水管路が設けられており、前記地中熱交換管として前記地中雨水管路が用いられている。
【００１０】
一般に、軒樋や立樋からなる雨水排水系統は建物の複数箇所に設けられ、その雨水排水系統からの雨水を回収する地中雨水管路は、建物に沿って、例えば建物を囲むようにして延設される。こうした前提の下、地中熱交換管として地中雨水管路を用いることにより、地熱との熱交換が行われる熱交換区間が自ずと長い管路区間となる。したがって、地中熱交換管（地中雨水管路）を空気が通過する際の熱交換を大いに促進し、地熱利用を効率良く実施できる。
【００１１】
また、地中雨水管路を地中熱交換管として利用することにより、設備面での効果も得られる。つまり、地中熱交換の促進のために熱交換区間を長くする場合、地中配管（いわゆるアースチューブ）を長くすると、その分設備経費等が嵩むことが懸念される。この点、地中雨水管路を地中熱交換管として利用することにより、新たな配管延長が不要となり、設備設置の観点からも好適な構成を実現できる。
【００１２】
第３の発明では、前記雨水排水系統は、建物の外壁に沿って上下方向に延び、下端部において前記地中雨水管路に接続されている立樋を有し、前記立樋には、雨天での雨水流通時には開き、雨水非流通時には閉じる立樋開閉手段が設けられている。
【００１３】
地中雨水管路に通じる立樋が大気開放されている状態では、地中雨水管路内に冷気が生じてもそれが屋内空間側に供給されず、立樋を通じて屋外に放出されてしまう可能性がある。この点、立樋に立樋開閉手段を設けたことにより、雨水排水系統としての機能を維持しつつ、上記の不都合を抑制できる。つまり、雨天での雨水流通時には立樋開閉手段が開き、雨水排水系統を流れる雨水を地中雨水管路を通じて下水系統に排出できる。また、雨水非流通時には、立樋開閉手段が閉じるため、地中雨水管路内にて生じた冷気が立樋を通じて屋外に放出されることを抑制できる。
【００１４】
第４の発明では、前記建物には、太陽光の照射に伴う温度上昇により気流を発生させ、屋外への排気を行わせる排気通路部が設けられている。そして、前記屋内空間には前記排気通路部が連通されており、前記屋内空間への冷気の取り込み時には、前記排気通路部を通じて前記屋内空間の排気が行われる。
【００１５】
上記構成によれば、晴天時には、太陽光の照射に伴う温度上昇により排気通路部で気流が発生し、屋内空間において屋外への排気が行われる。こうして屋内空間から屋外への排気が行われることにより、地中熱交換管から屋内空間への冷気の導入が促進される。また、冷気取込管を通じての冷気の取り込みも同様に促進される。したがって、屋内空間の冷却効率が高められる。
【００１６】
第５の発明では、前記屋内空間と前記建物の雨水排水系統を構成する立樋とが連通され、前記排気通路部として前記立樋が用いられている。
【００１７】
立樋内の空間は上下に延びる縦長空間であり、立樋内部では、太陽光の照射に伴う温度上昇により上昇気流が発生する。これを利用して、屋内空間において屋外への排気を実施する。これにより、地中熱交換管から屋内空間への冷気の導入が促進される。
【００１８】
第６の発明では、前記冷気取込管を開閉させる取込管開閉手段と、前記屋内空間の温度を検出する温度検出手段と、前記温度検出手段による検出温度に基づいて、前記取込管開閉手段の開閉を制御する制御手段と、を備える。
【００１９】
上記構成によれば、例えば夏場の日中において、屋内空間の温度が所定以上になった場合に取込管開閉手段の開閉が制御される。これにより、屋内環境に合わせて冷気の取込を行わせることができる。
【図面の簡単な説明】
【００２０】
【図１】建物と排水系統とを示す構成図。
【図２】建物周りの排水系統の配置を示す排水系統図。
【図３】通気実施時における空気の流れを示す図。
【図４】別の実施形態についての構成図。
【図５】建物通気の制御システムを示すブロック図。
【発明を実施するための形態】
【００２１】
以下、本発明における建物の通気システムを具体化した一実施形態を図面に基づいて説明する。図１は、建物と排水系統とを示す構成図であり、図２は、建物周りの排水系統の配置を示す排水系統図である。なお、図２は、建物を平面視してその周囲の排水系統を示す図である。
【００２２】
図１において、地盤には基礎１１が設けられ、その基礎１１の上に建物１２が据え付けられている。地盤とは建物を支える地核の表層部分のことである。図１では説明の便宜上、建物１２として平屋建物を示し、建物内空間として居室１３を示している。建物１２には屋根部１４が設けられている。屋根部１４は例えば切妻式の屋根からなり、屋根部１４の各傾斜面にはそれぞれ軒樋１５が設けられている。各軒樋１５には、建物１２の外壁に沿って上下方向に延びる立樋（雨水立て管）１６が接続されている。立樋１６は、その下端部が建物周囲の地盤に埋設され、地中雨水管路１７に接続されている。地中雨水管路１７は例えばコンクリート管よりなる。
【００２３】
図２に示すように、建物１２の周囲には立樋１６が複数箇所に設けられ、その複数の立樋１６を取り囲むようにして地中雨水管路１７が設けられている。図示の構成では、建物１２の四方の側面部のうち三方の側面部に沿って地中雨水管路１７が略コ字状に延設されている。地中雨水管路１７において、立樋１６との接続部には雨水マス１７ａが設けられている。地中雨水管路１７は、各立樋１６を伝って流れ落ちてくる雨水を集合させて回収する雨水集合経路を構成するものであり、建物周囲の地中雨水管路１７が下水系統１８を介して図示しない公共下水道に接続されている。よって、屋根部１４を伝って流れ落ちる雨水は、軒樋１５や立樋１６を通じて地面下の地中雨水管路１７に流れ込み、その地中雨水管路１７を通じて下水系統１８に排出される。下水系統１８には、その下水系統１８の管路を開閉する下水系統開閉手段１９（例えば開閉板）が設けられており、下水系統開閉手段１９を閉じることにより、地中雨水管路１７と下水系統１８との間の空気の流れが遮断されるようになっている。なお、軒樋１５や立樋１６により雨水排水系統が構成されている。
【００２４】
また、建物１２において、居室１３と屋根部１４との間の小屋裏空間部２１には小屋裏換気通路２２が設けられている。小屋裏換気通路２２は、居室１３内の空気を屋根部１４に設けられた天窓２３を通じて排出するための換気通路であり、屋根部１４に対する太陽光の照射に伴い小屋裏空間部２１の温度が上昇すると、小屋裏換気通路２２において上昇気流が発生する。そして、その上昇気流により、居室１３内の空気が天窓２３を通じて屋外に排出される。なお、天窓２３には、手動又は電動により開閉する窓戸が設けられている。小屋裏換気通路２２が排気通路部に相当する。
【００２５】
本実施形態の建物１２では、地熱を利用して冷気及び暖気を居室１３内に取り込む構成を採用しており、特に地熱との熱交換効率を高めるべく、地中雨水管路１７を地中熱交換管として利用する構成としている。つまり、地中雨水管路１７を、いわゆるアースチューブとして利用する。以下その詳細を説明する。
【００２６】
図１，図２に示すように、地盤には、地中雨水管路１７と居室１３とを連通する連通配管２５が埋設されている。連通配管２５は、基礎１１の立ち上がり部に形成された基礎貫通孔１１ａに挿通させることにより、建物１２の下方となる地盤部分と建物１２の周囲となる地盤部分とに跨って設けられている。連通配管２５は、基礎１１の内外に跨って設けられる水平管部２５ａと、床下空間を経由して上下方向に延びる鉛直管部２５ｂとを有する。水平管部２５ａの一端が基礎１１の外側において地中雨水管路１７に接続されている。なお、連通配管２５が空気排出管に相当する。連通配管２５の水平管部２５ａを地中雨水管路１７と共に地中熱交換管として用い、鉛直管部２５ｂを空気排出管として用いることも可能である。
【００２７】
地中雨水管路１７においては、第１接続点Ｊ１で各立樋１６が接続されており、第２接続点Ｊ２で連通配管２５が接続されている。本実施形態では、雨水マス１７ａが第１接続点Ｊ１となっている。また、建物１２において対向する二側面のうち一方の建物側面に沿って延びる地中雨水管路１７に第２接続点Ｊ２が設けられている。
【００２８】
連通配管２５の鉛直管部２５ｂの上端部、すなわち居室床部に設けられた連通配管２５の居室側空気排出口には、居室１３と連通配管２５とを連通及び遮断のいずれかの状態とする排出口開閉手段としての蓋板２６が設けられている。
【００２９】
上述した複数の立樋１６においてそれら各々の地上部分には、立樋１６の内部通路である内部雨水通路を開閉するためのドレイントラップ２７が設けられている。ドレイントラップ２７は、雨天での雨水流通時に開き、雨水非流通時には閉じる立樋開閉手段を構成するものである。より具体的には、ドレイントラップ２７は、立樋１６内に所定量の雨水が溜まった状態でその重量により開放される開閉弁であり、雨水が所定量以上溜まっていない状態、例えば晴天続きの状況下では閉鎖状態が維持され、立樋１６（ドレイントラップ２７よりも上方の立樋部分）と地中雨水管路１７との連通が遮断されるようになっている。また、ドレイントラップ２７には、立樋１６内の雨水の有無に関係なく開放状態を維持できる開放維持機構が設けられており、例えばユーザの手動操作によって、立樋１６内の雨水量に応じて開閉される状態と開放維持の状態とが切り替えられるようになっている。なお、ドレイントラップ２７は、立樋１６の地上部分でなく、地中埋設部分に設けられていてもよい。
【００３０】
建物周囲の地盤には、建物周囲の地面又は地面付近での水の気化により生じる冷気を取り込むための冷気取込管３１が設けられている。図２に示すように、冷気取込管３１は、建物周囲において複数箇所（図では２カ所）に設けられており、各冷気取込管３１により屋外空間（建物周囲における地面付近の空間部）と地中雨水管路１７とが連通されるようになっている。冷気取込管３１の上端開口部、すなわち冷気取込管３１の屋外側取込口には、屋外空間と冷気取込管３１とを連通及び遮断のいずれかの状態とする取込口開閉手段としての蓋板３２が設けられている。
【００３１】
また、建物周囲の地上面には屋外気化発生部３３が設けられている。屋外気化発生部３３は、例えば、地面に石や煉瓦、コンクリート、砂利等が敷設されることで構成される犬走りよりなり、その屋外気化発生部３３に、冷気取込管３１の上端開口部（屋外側取込口）が設けられている。屋外気化発生部３３の近辺には散水装置３５が設けられている。晴天時において屋外気化発生部３３に対して散水装置３５から水が散布されることにより、屋外気化発生部３３で太陽光の照射により水が気化し、その水の気化により生じた冷気が冷気取込管３１に取り込まれる。なお、屋外気化発生部３３において雨水を貯めておき、その雨水を気化させる構成でもよい。
【００３２】
上記構成の通気システムの作用を図３を参照しながら説明する。図３は、通気実施時における空気の流れを示す図であり、（ａ）は、居室１３を冷やす場合の空気の流れを示し、（ｂ）は、居室１３を暖める場合の空気の流れを示す。図３では、説明の便宜上、図２に示す排水系統の構成のうち、実際に開通している通路部分の構成のみを示し、開通していない通路部分の構成について図示を省略している。なお、（ａ）、（ｂ）いずれにおいても下水系統開閉手段１９が閉鎖されており、地中雨水管路１７と下水系統１８との間の空気の流れが遮断されている。
【００３３】
夏場などの高温環境下における空気の流れは図３（ａ）に示すとおりである。かかる場合、連通配管２５及び冷気取込管３１の各蓋板２６，３２は開放状態とされ、各管２５，３１を通じての通気が可能となっている。また、各立樋１６に設けられたドレイントラップ２７はいずれも閉鎖状態となっている（立樋１６の図示を省略している）。図３（ａ）の状態では、地中雨水管路１７の管路内空間の空気が地盤との熱交換により冷やされ、その際生じた冷気が連通配管２５を通じて居室１３に排出される。これにより、居室１３が冷却される。ここで、晴天時には、屋根部１４に対する太陽光の照射により小屋裏換気通路２２で上昇気流が発生し、天窓２３を開放した状態では居室１３内の空気が天窓２３を通じて屋外に排出される。これにより、地中雨水管路１７から居室１３への冷気の導入が促進される。
【００３４】
また特に、屋外での水の気化により生じた冷気が冷気取込管３１を介して地中雨水管路１７に取り込まれる。かかる場合、地中雨水管路１７では、冷気を含む空気を対象に更に地熱冷却が行われるため、居室１３に吹き出す空気の一層の冷却が可能となる。
【００３５】
一方、冬場などの低温環境下における空気の流れは図３（ｂ）に示すとおりである。かかる場合、連通配管２５の蓋板２６は開放状態とされて通気が可能となっており、冷気取込管３１の蓋板３２は閉鎖状態とされて通気不可となっている。また、各立樋１６に設けられたドレイントラップ２７のうち、地中雨水管路１７と連通配管２５との接続点Ｊ２に近い立樋１６のドレイントラップ２７については閉鎖状態（すなわち図示略）、接続点Ｊ２から遠い立樋１６のドレイントラップ２７については開放状態（すなわち図示）となっている。つまり、建物１２の周囲には、対向する二側面においてそれぞれ３つずつの立樋１６が設けられており（図２参照）、そのうち一方（図の上側）は接続点Ｊ２から遠い立樋１６、他方（図の下側）は接続点Ｊ２に近い立樋１６となっている。そして、接続点Ｊ２から遠い３つの立樋１６だけについてドレイントラップ２７が開放されている。
【００３６】
図３（ｂ）の状態では、冬場において、地中雨水管路１７の管路内空間の空気が地盤との熱交換により暖められ、その際生じた暖気が連通配管２５を通じて居室１３に排出される。これにより、居室１３が暖められる。このとき、地中雨水管路１７と連通配管２５との接続点Ｊ２から遠い立樋１６だけについてドレイントラップ２７が開放されているため、立樋１６から地中雨水管路１７内に空気が吸入された場合に、地中雨水管路１７内で熱交換により空気が暖められる区間を確保できる。
【００３７】
以上詳述した本実施形態によれば、以下の優れた効果が得られる。
【００３８】
地中熱交換管としての地中雨水管路１７に冷気取込管３１を接続し、建物周囲の地面又は地面付近での水の気化により生じる冷気を冷気取込管３１を介して地中雨水管路１７に取り込む構成とした。これにより、地中雨水管路１７では、冷気を含む空気を対象に更に地熱冷却が行われるため、居室１３に吹き出す空気の一層の冷却が可能となる。その結果、地熱利用による屋内冷却の効率化を図ることができる。
【００３９】
地中熱交換管として地中雨水管路１７を用いる構成としたため、地熱との熱交換が行われる熱交換区間が自ずと長い管路区間となる。したがって、地中雨水管路１７を空気が通過する際の熱交換を大いに促進し、地熱利用を効率良く実施できる。また、地中熱交換の促進のために熱交換区間を長くする場合、地中配管（いわゆるアースチューブ）を長くすると、その分設備経費等が嵩むことが懸念される。この点、地中雨水管路１７を地中熱交換管として利用することにより、新たな配管延長が不要となり、設備設置の観点からも好適な構成を実現できる。
【００４０】
地中雨水管路１７に通じる立樋１６が開通（大気開放）されている状態では、地中雨水管路１７内に冷気が生じてもそれが居室１３側に供給されず、立樋１６を通じて屋外に放出されてしまう可能性がある。この点、立樋１６に立樋開閉手段としてのドレイントラップ２７を設けたことにより、雨水排水系統としての機能を維持しつつ、上記の不都合を抑制できる。つまり、雨天での雨水流通時にはドレイントラップ２７が開き、雨水排水系統を流れる雨水を地中雨水管路１７を通じて下水系統１８に排出できる。また、雨水非流通時には、ドレイントラップ２７が閉じるため、地中雨水管路１７内にて生じた冷気が立樋１６を通じて屋外に放出されることを抑制できる。
【００４１】
建物１２に小屋裏換気通路２２を設け、その小屋裏換気通路２２を通じて居室１３内の暖気を屋外に排出する構成とした。これにより、地中雨水管路１７から居室１３への冷気の導入が促進される。また、冷気取込管３１を通じての冷気の取り込みも同様に促進される。したがって、屋内空間の冷却効率が高められる。
【００４２】
居室１３内に暖気を供給する場合には、複数の立樋１６のうち、第１接続点Ｊ１（立樋１６と地中雨水管路１７との接続点）から第２接続点Ｊ２（地中雨水管路１７と連通配管２５との接続点）までの管路長が短いものを閉鎖し、該閉鎖した立樋１６よりも前記管路長が長いものを開通させる構成とした。これにより、立樋１６から地中雨水管路１７内に空気が吸入された場合に、地中雨水管路１７内で熱交換により空気が暖められる区間を十分に確保でき、暖気の効率を高めることができる。
【００４３】
［他の実施形態］
本発明は上記実施形態の記載内容に限定されず、例えば次のように実施されてもよい。
【００４４】
・居室１３内の空気を排出するための排気通路部として、立樋１６を利用する構成としてもよい。具体的には、図４に示すように、居室１３と立樋１６とを連通する連通配管３７を設け、居室１３への冷気の取り込み時には、立樋１６を通じて居室１３の排気が行われるようにするとよい。要するに、立樋１６内の空間は上下に延びる縦長空間であり、立樋内部では、太陽光の照射に伴う温度上昇により上昇気流が発生する。これを利用して、居室１３において屋外への排気を実施する。これにより、地中雨水管路１７から居室１３への冷気の導入が促進される。なお、連通配管３７に開閉部材（シャッタ等）を設け、この開閉部材により、連通配管３７を通じて雨水や屋外の埃等が居室１３内に進入するのを抑制することが望ましい。
【００４５】
・上記実施形態では、居室１３内を冷やす場合と暖める場合とで空気の流通経路を変更する構成としたが（図３（ａ），（ｂ）参照）、これに代えて、居室１３内を冷やす場合と暖める場合とで空気の流通経路を変更しない構成としてもよい。具体的には、居室１３内を冷やす場合と暖める場合とでいずれも図３（ｂ）に示す流通経路で空気を流通させる構成とする。つまり、地中熱交換管として地中雨水管路１７を利用する構成は、居室１３内を冷やす場合だけでなく、居室１３内を暖める場合にも有用であると考えられる。地中熱交換管として地中雨水管路１７を用いることにより熱交換区間の延長化を図る構成では、夏場においては居室１３への導入空気を効率良く冷やすことができ、冬場においては居室１３への導入空気を効率良く暖めることができる。
【００４６】
この場合、居室１３内を冷やす場合で言えば、二通りのやり方が存在することになり、これらを適宜切り替えるようにしてもよい。例えば、所定の時間周期で図３（ａ）、（ｂ）の状態を交互に切り替える構成とする。又は、屋外気化発生部３３での水気化の状況を判定し、気化冷却が可能である場合には図３（ａ）の状態とし、気化冷却が可能でない場合には図３（ｂ）の状態とするように状態切替の制御を実施してもよい。気化冷却が可能か否かの判定として、例えば、屋外気化発生部３３が水の気化が発生する所定の高温状態にあるか否かを判定したり、屋外気化発生部３３に水が存在しているか否かを判定したりするとよい。
【００４７】
・上記構成の建物通気システムにおいて、電子制御装置により居室１３への通気制御を実施する構成としてもよい。具体的には、図５に示す制御システムを採用する。コントローラ４０は、ＣＰＵや各種メモリを有してなる周知の電子制御装置であり、そのコントローラ４０には、居室温度センサ４１の検出信号と居室人感センサ４２の検出信号とが入力される。居室温度センサ４１は、居室１３内の温度（室内温度）を検出する温度検出手段であり、居室人感センサ４２は、居室１３内の人の有無を検出する人検出手段である。
【００４８】
本制御システムでは、制御対象としてドレイントラップ２７と蓋板２６，３２と散水装置３５とファン装置４３とを想定しており、そのうちドレイントラップ２７、蓋板２６，３２、散水装置３５については図１に示されている。かかる場合、ドレイントラップ２７では、立樋内通路を開閉するための開閉板がモータ駆動により開閉動作する。蓋板２６，３２は、モータ駆動により開閉動作する。蓋板３２が取込管開閉手段に相当する。散水装置３５は、散水アクチュエータの駆動により散水を実施する。また、ファン装置４３は連通配管２５の途中に設けられており、ファン駆動により地中雨水管路１７側から居室１３側に向けて流れる気流が発生する。
【００４９】
コントローラ４０は、夏場において、居室人感センサ４２により居室１３内に人がいると検出され、かつ居室温度センサ４１による検出温度が所定温度（例えば３０℃）以上であれば、居室１３内に冷気を取り込むための冷気取込制御を実施する。これは、例えば図３（ａ）に示す態様で居室１３に冷気を取り込む制御である。具体的には、各立樋１６のドレイントラップ２７をいずれも閉鎖状態とする。また、散水装置３５に散水を行わせ屋外気化発生部３３において水を気化させるとともに、蓋板２６，３２を開放する。さらに、ファン装置４３を駆動させる。
【００５０】
また、コントローラ４０は、冬場において、居室人感センサ４２により居室１３内に人がいると検出され、かつ居室温度センサ４１による検出温度が所定温度（例えば１０℃）以下であれば、居室１３内に暖気を取り込むための暖気取込制御を実施する。これは、例えば図３（ｂ）に示す態様で居室１３に暖気を取り込む制御である。具体的には、各立樋１６のドレイントラップ２７のうち、第１接続点Ｊ１から第２接続点Ｊ２までの管路長が短いものを閉鎖し、同管路長が長いものを開通させる。また、蓋板２６を開放するとともに、ファン装置４３を駆動させる。これにより、居室１３内に暖気が取り込まれる。
【００５１】
上記の通気制御によれば、屋内環境に合わせて冷気や暖気の取込を行わせることができる。
【００５２】
・地中熱交換管として地中雨水管路１７を用いる以外に、地熱回収専用の熱交換配管（熱交換チャンバ）を用いる構成としてもよい。この場合、熱交換配管に、連通配管２５と冷気取込管３１とが接続される。
【００５３】
・連通配管２５には、フィルタが設けられていてもよい。これにより、連通配管２５を通じての居室１３への虫や小動物の侵入を防止できる。また、連通配管２５を通じて居室１３内に臭気や湿気が入るのを抑制すべく、連通配管２５に脱臭部材や除湿部材を設ける構成としてもよい。
【００５４】
・図１の構成において、屋根部１４で暖められた空気を立樋１６に取り込み、さらに立樋１６を通じて地中雨水管路１７に導く構成としてもよい。具体的には、立樋１６にファン装置を設け、そのファン駆動で生じる立樋内の気流により、立樋１６への空気の取り込み及び地中雨水管路１７への空気導入を行わせる。例えば、冬場等において、屋根部１４で生じる暖かい空気を、立樋１６、地中雨水管路１７及び連通配管２５を通じて居室１３内に取り込む構成とする。これにより、居室１３内を効率的に暖めることができる。
【００５５】
・図１に示す建物１２は例示に過ぎず、本発明を他の構成の建物に適用することも可能である。例えば、同一階に複数の居室を有する建物や、二階建て以上の多層階建物への適用も可能である。
【００５６】
［本明細書から抽出可能な他の発明について］
以下に、本明細書の開示範囲内において課題を解決するための手段欄に記載した発明以外に抽出可能な発明について、必要に応じて効果等を示しつつ説明する。
【００５７】
（１）建物には、該建物を伝って流れる雨水を回収する雨水排水系統が設けられ、
建物周囲の地盤には、前記雨水排水系統を通じて流れる雨水を下水系統に排出する地中雨水管路が設けられており、
前記建物の地盤に埋設され、管内部の空間と前記地盤との間で熱交換を行わせる地中熱交換管と、
前記地中熱交換管に接続され該地中熱交換管で前記熱交換が行われた後の空気を屋内空間に排出する空気排出管と、
を備え、
前記地中熱交換管として前記地中雨水管路が用いられていることを特徴とする建物の通気システム。
【００５８】
一般に、軒樋や立樋からなる雨水排水系統は建物の複数箇所に設けられ、その雨水排水系統からの雨水を回収する地中雨水管路は、建物に沿って、例えば建物を囲むようにして延設される。こうした前提の下、地中熱交換管として地中雨水管路を用いることにより、地熱との熱交換が行われる熱交換区間が自ずと長い管路区間となる。したがって、地中熱交換管（地中雨水管路）を空気が通過する際の熱交換を大いに促進し、地熱利用を効率良く実施できる。
【００５９】
また、地中雨水管路を地中熱交換管として利用することにより、設備面での効果も得られる。つまり、地中熱交換の促進のために熱交換区間を長くする場合、地中配管（いわゆるアースチューブ）を長くすると、その分設備経費等が嵩むことが懸念される。この点、地中雨水管路を地中熱交換管として利用することにより、新たな配管延長が不要となり、設備設置の観点からも好適な構成を実現できる。
【００６０】
（２）前記建物には、前記雨水排水系統として複数の立樋が設けられ、該複数の立樋がそれぞれ前記地中雨水管路に接続されており、
前記地中雨水管路を利用した通気の実施に際し、前記複数の立樋のうち、該立樋と前記地中雨水管路とが接続されている第１接続点から、前記地中雨水管路と前記空気排出管とが接続されている第２接続点までの管路長が短いものを閉鎖し、該閉鎖した立樋よりも前記管路長が長いものを開通させる上記（１）に記載の建物の通気システム。
【００６１】
上記構成によれば、地中雨水管路と空気排出管との第２接続点から遠い立樋、すなわち第２接続点までの管路長が長い立樋が開通され、それ以外が閉鎖される。これにより、立樋から地中雨水管路内に空気が吸入された場合に、地中雨水管路内で熱交換により空気が冷やされる又は暖められる区間を十分に確保できる。
【符号の説明】
【００６２】
１２…建物、１３…居室（屋内空間）、１４…屋根部、１５…軒樋（雨水排水系統）、１６…立樋（雨水排水系統）、１７…地中雨水管路（地中熱交換管）、１８…下水系統、２２…小屋裏換気通路（排気通路部）、２７…ドレイントラップ（立樋開閉手段）、３１…冷気取込管、３２…蓋板（取込管開閉手段）、４０…コントローラ（制御手段）、４１…居室温度センサ（温度検出手段）。
【図１】
2012097459.tif 000003
【図２】
2012097459.tif 000004
【図３】
2012097459.tif 000005
【図４】
2012097459.tif 000006
【図５】
2012097459.tif 000007